(57)【要約】【課題】生成されるスペックルパターンの空間構造または光強度統計分布の設定の自由度が高い擬似スペックルパターン生成装置等を提供する。【解決手段】擬似スペックルパターン生成装置１Ａは、第１空間光変調器１３、レンズ１４、第２空間光変調器１５、レンズ１６等を備える。第１空間光変調器１３は、擬似乱数パターンに基づく第１強度変調分布を有し、光源１１から出力されてビームエキスパンダ１２によりビーム径を拡大された光を空間的に強度変調する。第２空間光変調器１５は、フィルタ関数に基づく第２強度変調分布を有し、レンズ１４によりフーリエ変換パターンが生成される面に設けられ、レンズ１４を経て到達した光を空間的に強度変調する。レンズ１６は、第２空間光変調器１５から出力された光のパターンを光学的にフーリエ変換して当該フーリエ変換パターンを擬似スペックルパターンとして生成する。【選択図】図８
2018180177.tif 000002
【特許請求の範囲】
【請求項１】
光を出力する光源と、
擬似乱数パターンに基づく第１強度変調分布を有し、前記光源から出力された光を前記第１強度変調分布に応じて空間的に強度変調して、その変調後の光を出力する第１空間光変調器と、
前記第１空間光変調器から出力された光のパターンを光学的にフーリエ変換して当該フーリエ変換パターンを生成する第１光学系と、
前記第１光学系により前記フーリエ変換パターンが生成される面に設けられ、フィルタ関数に基づく第２強度変調分布を有し、前記第１光学系を経て到達した光を前記第２強度変調分布に応じて空間的に強度変調して、その変調後の光を出力する第２空間光変調器と、
前記第２空間光変調器から出力された光のパターンを光学的にフーリエ変換して当該フーリエ変換パターンを擬似スペックルパターンとして光パターン生成面に生成する第２光学系と、
前記第１空間光変調器の前記第１強度変調分布および前記第２空間光変調器の前記第２強度変調分布の双方または何れか一方を設定する制御部と、
を備える擬似スペックルパターン生成装置。
【請求項２】
前記制御部が、生成すべき擬似スペックルパターンの光強度統計分布に応じた統計分布を有する擬似乱数パターンに基づいて前記第１強度変調分布を前記第１空間光変調器に設定する、
請求項１に記載の擬似スペックルパターン生成装置。
【請求項３】
前記制御部が、生成すべき擬似スペックルパターンの自己相関関数に応じた相関関数のフーリエ変換の平方根であるフィルタ関数に基づいて前記第２強度変調分布を前記第２空間光変調器に設定する、
請求項１または２に記載の擬似スペックルパターン生成装置。
【請求項４】
請求項１〜３の何れか１項に記載の擬似スペックルパターン生成装置と、
前記擬似スペックルパターン生成装置により前記擬似スペックルパターンが生成される前記光パターン生成面に照射される観察用の光を出力する観察用光源と、
前記光パターン生成面への前記観察用の光の照射に応じて生じた光を受光して撮像するカメラと、
を備える観察装置。
【請求項５】
擬似乱数パターンに基づく第１強度変調分布を有する第１空間光変調器により、光源から出力された光を前記第１強度変調分布に応じて空間的に強度変調して、その変調後の光を出力し、
第１光学系により、前記第１空間光変調器から出力された光のパターンを光学的にフーリエ変換して当該フーリエ変換パターンを生成し、
前記第１光学系により前記フーリエ変換パターンが生成される面に設けられフィルタ関数に基づく第２強度変調分布を有する第２空間光変調器により、前記第１光学系を経て到達した光を前記第２強度変調分布に応じて空間的に強度変調して、その変調後の光を出力し、
第２光学系により、前記第２空間光変調器から出力された光のパターンを光学的にフーリエ変換して当該フーリエ変換パターンを擬似スペックルパターンとして光パターン生成面に生成し、
前記第１空間光変調器の前記第１強度変調分布および前記第２空間光変調器の前記第２強度変調分布の双方または何れか一方を設定する、
擬似スペックルパターン生成方法。
【請求項６】
生成すべき擬似スペックルパターンの光強度統計分布に応じた統計分布を有する擬似乱数パターンに基づいて前記第１強度変調分布を前記第１空間光変調器に設定する、
請求項５に記載の擬似スペックルパターン生成方法。
【請求項７】
生成すべき擬似スペックルパターンの自己相関関数に応じた相関関数のフーリエ変換の平方根であるフィルタ関数に基づいて前記第２強度変調分布を前記第２空間光変調器に設定する、
請求項５に記載の擬似スペックルパターン生成方法。
【請求項８】
請求項５〜７の何れか１項に記載の擬似スペックルパターン生成方法により前記擬似スペックルパターンが生成される前記光パターン生成面に、観察用光源から出力される観察用の光を照射し、
前記光パターン生成面への前記観察用の光の照射に応じて生じた光をカメラにより受光して撮像する、
観察方法。
【発明の詳細な説明】
【技術分野】
【０００１】
本発明は、擬似スペックルパターン生成装置、この擬似スペックルパターン生成装置を備える観察装置、擬似スペックルパターン生成方法、および、この擬似スペックルパターン生成方法を含む観察方法に関するものである。
【背景技術】
【０００２】
レーザ光などのコヒーレントな光が拡散板等のディフューザ（散乱媒体）により散乱されると、その散乱光の干渉によりスペックルパターンが生成される。スペックルパターンにおける光強度の空間分布が乱数パターンに近い性質を有していることから、スペックルパターンは、干渉計測技術、超解像技術および光計測技術などにおいて利用され、また、最近では原子や粒子コロイドのトラップ等の光操作技術においても利用されている。
【０００３】
スペックルパターンは、空間構造および光強度統計分布により特徴付けられる。空間構造は、スペックルパターンの自己相関関数の空間的形状により表され、光学系の点像分布を示す。光強度統計分布は、スペックルパターンにおける光強度のヒストグラムにより表され、指数分布に従う。なお、理想的な乱数を２次元配列した２次元擬似乱数パターンの空間構造（自己相関関数）はデルタ関数となる。
【０００４】
非特許文献１に記載された技術は、ディフューザおよびレンズを備える構成において、レンズの後焦点面と異なる面にスペックルパターンを生成する。非特許文献２に記載された技術は、ディフューザおよびレンズを備える構成において、ディフューザの位置の変更又はディフューザ自体の交換によって様々なスペックルパターンを生成する。
【０００５】
非特許文献３に記載された技術は、外部から与えられる信号により設定可能な２次元の変調分布を有する空間光変調器をディフューザに替えて用い、この空間光変調器およびレンズを備える構成によりスペックルパターンを生成する。空間光変調器には、２次元擬似乱数パターンに応じた変調分布が設定される。
【先行技術文献】
【非特許文献】
【０００６】
【非特許文献１】Vladlen G. Shvedov et.al,“Selective trapping of multiple particles by volume speckle field,” OPTICSEXPRESS, Vol.18, No.3, pp.3137-3142 (2010).
【非特許文献２】E. Mudry et.al, “Structuredillumination microscopy using unknown speckle patterns,” NATURE PHOTONICS, VOL6, pp.312-315 (2012).
【非特許文献３】Yaron Bromberg and Hui Cao,“Generating Non-Rayleigh Speckles with Tailored Intensity Statistics,” PHYSICALREVIEW LETTERS 112, 213904 (2014).
【発明の概要】
【発明が解決しようとする課題】
【０００７】
非特許文献１に記載された技術は、１つのディフューザを用いるのみであるから、生成されるスペックルパターンの空間構造および光強度統計分布の設定の自由度が無い。
【０００８】
非特許文献２に記載された技術は、ディフューザを交換することによってスペックルパターンを変更することができる。しかし、この技術においては、多様なスペックルパターンを生成するためには多くのディフューザを用意しておくことが必要であり、生成されるスペックルパターンの空間構造および光強度統計分布の設定の自由度が低い。また、ディフューザ位置の変更によりスペックルパターンを設定する場合、同一のパターンを再現することは著しく困難である。
【０００９】
非特許文献３に記載された技術は、２次元擬似乱数パターンに応じて空間光変調器に呈示する変調分布を変更することによってスペックルパターンを変更することができる。しかし、この技術においても、スペックルパターンのコントラストが調整されるのみであり、生成されるスペックルパターンの空間構造および光強度統計分布の設定の自由度が低い。
【００１０】
本発明は、上記問題点を解消する為になされたものであり、生成されるスペックルパターンの空間構造または光強度統計分布の設定の自由度が高く、生成されるパターンが再現性を有する擬似スペックルパターン生成装置および擬似スペックルパターン生成方法を提供することを目的とする。また、本発明は、このような擬似スペックルパターン生成装置を備える観察装置、および、擬似スペックルパターン生成方法を含む観察方法を提供することを目的とする。
【００１１】
なお、本発明で生成されるパターンは、ディフューザを用いて生成される通常のスペックルパターンと異なる空間構造または光強度統計分布を有することも可能であるので、「擬似スペックルパターン」と呼ぶことにする。
【課題を解決するための手段】
【００１２】
本発明の擬似スペックルパターン生成装置は、(1) 光を出力する光源と、(2) 擬似乱数パターンに基づく第１強度変調分布を有し、光源から出力された光を第１強度変調分布に応じて空間的に強度変調して、その変調後の光を出力する第１空間光変調器と、(3) 第１空間光変調器から出力された光のパターンを光学的にフーリエ変換して当該フーリエ変換パターンを生成する第１光学系と、(4) 第１光学系によりフーリエ変換パターンが生成される面に設けられ、フィルタ関数に基づく第２強度変調分布を有し、第１光学系を経て到達した光を第２強度変調分布に応じて空間的に強度変調して、その変調後の光を出力する第２空間光変調器と、(5) 第２空間光変調器から出力された光のパターンを光学的にフーリエ変換して当該フーリエ変換パターンを擬似スペックルパターンとして光パターン生成面に生成する第２光学系と、(6) 第１空間光変調器の第１強度変調分布および第２空間光変調器の第２強度変調分布の双方または何れか一方を設定する制御部と、を備える。
【００１３】
本発明の擬似スペックルパターン生成装置の一側面では、制御部は、生成すべき擬似スペックルパターンの光強度統計分布に応じた統計分布を有する擬似乱数パターンに基づいて第１強度変調分布を第１空間光変調器に設定するのが好適である。また、制御部は、生成すべき擬似スペックルパターンの自己相関関数に応じた相関関数のフーリエ変換の平方根であるフィルタ関数に基づいて第２強度変調分布を第２空間光変調器に設定するのが好適である。
【００１４】
本発明の観察装置は、(1) 上記の本発明の擬似スペックルパターン生成装置と、(2) 擬似スペックルパターン生成装置により擬似スペックルパターンが生成される光パターン生成面に照射される観察用の光を出力する観察用光源と、(3) 光パターン生成面への観察用の光の照射に応じて生じた光を受光して撮像するカメラと、を備える。
【００１５】
本発明の擬似スペックルパターン生成方法は、(1) 擬似乱数パターンに基づく第１強度変調分布を有する第１空間光変調器により、光源から出力された光を第１強度変調分布に応じて空間的に強度変調して、その変調後の光を出力し、(2) 第１光学系により、第１空間光変調器から出力された光のパターンを光学的にフーリエ変換して当該フーリエ変換パターンを生成し、(3) 第１光学系によりフーリエ変換パターンが生成される面に設けられフィルタ関数に基づく第２強度変調分布を有する第２空間光変調器により、第１光学系を経て到達した光を第２強度変調分布に応じて空間的に強度変調して、その変調後の光を出力し、(4) 第２光学系により、第２空間光変調器から出力された光のパターンを光学的にフーリエ変換して当該フーリエ変換パターンを擬似スペックルパターンとして光パターン生成面に生成し、(5) 第１空間光変調器の第１強度変調分布および第２空間光変調器の第２強度変調分布の双方または何れか一方を設定する。
【００１６】
本発明の擬似スペックルパターン生成方法の一側面では、生成すべき擬似スペックルパターンの光強度統計分布に応じた統計分布を有する擬似乱数パターンに基づいて第１強度変調分布を第１空間光変調器に設定するのが好適である。また、生成すべき擬似スペックルパターンの自己相関関数に応じた相関関数のフーリエ変換の平方根であるフィルタ関数に基づいて第２強度変調分布を第２空間光変調器に設定するのが好適である。
【００１７】
本発明の観察方法は、上記の本発明の擬似スペックルパターン生成方法により擬似スペックルパターンが生成される光パターン生成面に、観察用光源から出力される観察用の光を照射し、光パターン生成面への観察用の光の照射に応じて生じた光をカメラにより受光して撮像する。
【発明の効果】
【００１８】
本発明によれば、生成される擬似スペックルパターンの空間構造または光強度統計分布の設定の自由度が高く、生成されるパターンが再現性を有する。
【図面の簡単な説明】
【００１９】
【図１】図１は、擬似スペックルパターンを計算により求める場合の計算手順のフローチャートである。
【図２】図２は、相関関数ｃおよびフィルタ関数Ｆの例を纏めた表である。
【図３】図３（ａ）は、統計分布が正規分布に従う２次元擬似乱数パターンａ(x,y)の一例を示す図である。図３（ｂ）は、図３（ａ）の２次元擬似乱数パターンａ(x,y)および相関関数ｃ(r)＝exp(-r)を用いた場合に得られる擬似スペックルパターンｂ(x,y)を示す図である。
【図４】図４（ａ）は、図３（ａ）の２次元擬似乱数パターンａ(x,y)および相関関数ｃ(r)＝exp(-r/9)を用いた場合に得られる擬似スペックルパターンｂ(x,y)を示す図である。図４（ｂ）は、図４（ａ）の擬似スペックルパターンｂ(x,y)の光強度統計分布（輝度ヒストグラム）を示す図である。
【図５】図５（ａ）は、ディフューザを用いて生成されたスペックルパターンの一例を示す図である。図５（ｂ）は、図５（ａ）のスペックルパターンの光強度統計分布（輝度ヒストグラム）を示す図である。
【図６】図６（ａ）は、図３（ａ）の２次元擬似乱数パターンａ(x,y)および相関関数ｃ(r)＝exp(-r/3)を用いた場合の擬似スペックルパターンｂ(x,y)を示す図である。図６（ｂ）は、図６（ａ）の擬似スペックルパターンｂ(x,y)の自己相関画像を示す図である。
【図７】図７は、図６（ｂ）の自己相関画像における強度プロファイルを示す図である。
【図８】図８は、本実施形態の擬似スペックルパターン生成装置１Ａの構成を示す図である。
【図９】図９は、他の本実施形態の擬似スペックルパターン生成装置１Ｂの構成を示す図である。
【図１０】図１０は、本実施形態の観察装置２Ａの構成を示す図である。
【図１１】図１１は、他の実施形態の観察装置２Ｂの構成を示す図である。
【発明を実施するための形態】
【００２０】
以下、添付図面を参照して、本発明を実施するための形態を詳細に説明する。なお、図面の説明において同一の要素には同一の符号を付し、重複する説明を省略する。本発明は、これらの例示に限定されるものではなく、特許請求の範囲によって示され、特許請求の範囲と均等の意味および範囲内でのすべての変更が含まれることが意図される。
【００２１】
先ず、本実施形態において生成される擬似スペックルパターンを説明する。図１は、擬似スペックルパターンを計算により求める場合の計算手順のフローチャートである。なお、以下に登場する関数のうち、英小文字で表した関数は実空間における関数であり、英大文字で表した関数はフーリエ空間における関数である。また、(x,y)は実空間中の直交座標系で表した位置を示し、(u,v)はフーリエ空間中の直交座標系で表した位置を示す。
【００２２】
ステップＳ１１では、２次元擬似乱数パターンａ(x,y)を生成する。具体的には、任意の生成方法により所定のシード数および統計分布に従う１次元の擬似乱数列を生成し、これらの擬似乱数を２次元に配列することで２次元擬似乱数パターンａ(x,y)を生成する。１次元擬似乱数列の生成の際のシード数および統計分布ならびに２次元配列の際の配列規則が同じであれば、２次元擬似乱数パターンａ(x,y)の生成は再現性を有する。ステップＳ１２では、ａ(x,y)をフーリエ変換してＡ(u,v)を得る（（１）式）。
【００２３】
【数１】
2018180177.tif 000003
【００２４】
ステップＳ２１では、相関関数ｃ(x,y)を準備する。ステップＳ２２では、ｃ(x,y)をフーリエ変換してＣ(u,v)を得る（（２）式）。ステップＳ２３では、Ｃ(u,v)の平方根を計算してフィルタ関数Ｆ(u,v)を得る（（３）式）。
【００２５】
【数２】
2018180177.tif 000004
【００２６】
【数３】
2018180177.tif 000005
【００２７】
ステップＳ３１では、Ａ(u,v)とＦ(u,v)とを乗算してＢ(u,v)を得る（（４）式）。そして、ステップＳ３２では、Ｂ(u,v)を逆フーリエ変換して擬似スペックルパターンｂ(x,y)を得る（（５）式）。なお、フーリエ変換と逆フーリエ変換とは、数値計算をする場合には同様の計算処理で実現可能であり、また、光学系により実現する場合には同様の光学系により実現可能であるから、両者を区別する必要はない。
【００２８】
【数４】
2018180177.tif 000006
【００２９】
【数５】
2018180177.tif 000007
【００３０】
このようにして生成された擬似スペックルパターンｂ(x,y)は、２次元擬似乱数パターンａ(x,y)の統計分布に応じた光強度統計分布と、フィルタ関数Ｆ(u,v)に対応する相関関数ｃ(x,y)に応じた空間構造（自己相関関数）と、を有する。なお、ステップＳ２３においてＣ(u,v)の平方根を計算してフィルタ関数Ｆ(u,v)を求めるのは、擬似スペックルパターンｂ(x,y)の自己相関関数と相関関数ｃ(x,y)とを互いに一致させるためである。
【００３１】
図２は、相関関数ｃおよびフィルタ関数Ｆの例を纏めた表である。この表に示される相関関数ｃは、実空間における原点(0,0)からの距離ｒのみを変数とする関数ｃ(r)である。対応するフィルタ関数Ｆも、フーリエ空間における原点(0,0)からの距離ｋのみを変数とする関数Ｆ(k)である。各式において、ｒ，ｋは非負の実数であり、η，ξは正の実数である。
【００３２】
相関関数ｃ(x,y)としては、フーリエ変換の結果であるＣ(u,v)が非負の実数の関数となるような関数が選ばれ、また、距離ｒが大きくなるに従い関数値が漸減する関数であるのが好ましい。相関関数ｃは、距離ｒのみを変数とする関数であるのが好ましい。相関関数ｃは、ｘおよびｙを変数とする関数（例えばexp(-|x+y|/ξ)）であってもよい。相関関数ｃは、原点(0,0)における関数値が１であってもよいが、その関数値が任意であってよい。相関関数ｃは、数式で表現することができないものであってもよい。
【００３３】
図３（ａ）は、統計分布が正規分布に従う２次元擬似乱数パターンａ(x,y)の一例を示す図である。図３（ｂ）は、図３（ａ）の２次元擬似乱数パターンａ(x,y)および相関関数ｃ(r)＝exp(-r)を用いた場合に得られる擬似スペックルパターンｂ(x,y)を示す図である。図４（ａ）は、図３（ａ）の２次元擬似乱数パターンａ(x,y)および相関関数ｃ(r)＝exp(-r/9)を用いた場合に得られる擬似スペックルパターンｂ(x,y)を示す図である。図４（ｂ）は、図４（ａ）の擬似スペックルパターンｂ(x,y)の光強度統計分布（輝度ヒストグラム）を示す図である。
【００３４】
図５（ａ）は、ディフューザを用いて生成されたスペックルパターンの一例を示す図である。図５（ｂ）は、図５（ａ）のスペックルパターンの光強度統計分布（輝度ヒストグラム）を示す図である。ディフューザを用いて生成されたスペックルパターンの光強度統計分布（図５（ｂ））は指数関数分布で近似することができるのに対して、擬似スペックルパターンｂ(x,y)の光強度統計分布（図４（ｂ））は、正規分布で近似することができ、２次元擬似乱数パターンａ(x,y)の統計分布と略一致している。なお、図４（ｂ）および図５（ｂ）の光強度統計分布（輝度ヒストグラム）の横軸は、２５６階調の光強度を表している。
【００３５】
図６（ａ）は、図３（ａ）の２次元擬似乱数パターンａ(x,y)および相関関数ｃ(r)＝exp(-r/3)を用いた場合の擬似スペックルパターンｂ(x,y)を示す図である。図６（ｂ）は、図６（ａ）の擬似スペックルパターンｂ(x,y)の自己相関画像を示す図である。図７は、図６（ｂ）の自己相関画像における強度プロファイルを示す図である。ｘ方向およびｙ方向それぞれの強度プロファイルは、互いに略一致しており、また、相関関数ｃ(r)＝exp(-r/3)とも略一致している。すなわち、擬似スペックルパターンｂ(x,y)の自己相関関数は、相関関数ｃと略一致している。
【００３６】
本実施形態の擬似スペックルパターン生成装置および擬似スペックルパターン生成方法では、２次元擬似乱数パターンａ(x,y)に基づく第１強度変調分布を有する第１空間光変調器と、フィルタ関数Ｆ(u,v)に基づく第２強度変調分布を有する第２空間光変調器とを用いて、擬似スペックルパターンｂ(x,y)を光学的に生成する。
【００３７】
図８は、本実施形態の擬似スペックルパターン生成装置１Ａの構成を示す図である。擬似スペックルパターン生成装置１Ａは、制御部１０、光源１１、ビームエキスパンダ１２、第１空間光変調器１３、レンズ１４、第２空間光変調器１５およびレンズ１６を備え、光パターン生成面Ｐに擬似スペックルパターンｂ(x,y)を生成する。第１空間光変調器１３から光パターン生成面Ｐに至るまでの光学系は４ｆ結像光学系を構成している。
【００３８】
光源１１は、光を出力する。光源１１として、例えば、レーザ光源、ランプ光源、ＳＬＤ（SuperluminescentDiode）光源等が用いられる。ビームエキスパンダ１２は、光源１１と光学的に接続され、光源１１から出力される光のビーム径を拡大して出力する。このとき、ビームエキスパンダ１２から出力される光は、ビーム断面において強度が均一化されるのが好ましい。
【００３９】
第１空間光変調器１３は、強度変調型のものであって、ステップＳ１１で生成される２次元擬似乱数パターンａ(x,y)に基づく第１強度変調分布を有する。第１空間光変調器１３として、例えば、変調媒体が液晶である変調器や、デジタルミラーデバイス（ＤＭＤ）が用いられる。第１空間光変調器１３は、ビームエキスパンダ１２と光学的に接続され、光源１１から出力されてビームエキスパンダ１２によりビーム径を拡大された光を入力し、その入力した光を第１強度変調分布に応じて空間的に強度変調して、その変調後の光を出力する。
【００４０】
レンズ１４は、第１空間光変調器１３と光学的に接続され、第１空間光変調器１３から出力された光のパターンを光学的にフーリエ変換する第１光学系を構成している。このレンズ１４により生成されるフーリエ変換パターンは、ステップＳ１２で得られるＡ(u,v) に応じたものである。
【００４１】
第２空間光変調器１５は、強度変調型のものであって、ステップＳ２３で生成されるフィルタ関数Ｆ(u,v)に基づく第２強度変調分布を有する。第２空間光変調器１５として、例えば、変調媒体が液晶である変調器や、デジタルミラーデバイス（ＤＭＤ）が用いられる。第２空間光変調器１５は、レンズ（第１光学系）１４によりフーリエ変換パターンが生成される面に設けられ、レンズ１４を経て到達した光を第２強度変調分布に応じて空間的に強度変調して、その変調後の光を出力する。第２空間光変調器１５から出力される光のパターンは、ステップＳ３１で得られるＢ(u,v)に応じたものである。
【００４２】
レンズ１６は、第２空間光変調器１５と光学的に接続され、第２空間光変調器１５から出力された光のパターンを光学的にフーリエ変換する第２光学系を構成している。このレンズ１６により光パターン生成面Ｐにおいて生成されるフーリエ変換パターンは、ステップＳ３２で生成される擬似スペックルパターンｂ(x,y)となる。
【００４３】
このようにして生成される擬似スペックルパターンｂ(x,y)は、２次元擬似乱数パターンａ(x,y)の統計分布（すなわち、第１空間光変調器１３の第１強度変調分布）に応じた光強度統計分布を有するとともに、フィルタ関数Ｆ(u,v)（すなわち、第２空間光変調器１５の第２強度変調分布）に対応する相関関数ｃ(x,y)に応じた空間構造を有する。
【００４４】
制御部１０は、第１空間光変調器１３および第２空間光変調器１５の双方または何れか一方と電気的に接続され、第１空間光変調器１３の第１強度変調分布および第２空間光変調器１５の第２強度変調分布の双方または何れか一方を設定する。具体的には、制御部１０は、生成すべき擬似スペックルパターンｂ(x,y)の光強度統計分布に応じた統計分布を有する２次元擬似乱数パターンａ(x,y)に基づいて第１強度変調分布を第１空間光変調器１３に設定する。或いは、制御部１０は、生成すべき擬似スペックルパターンｂ(x,y)の自己相関関数に応じた相関関数ｃ(x,y)に対応するフィルタ関数Ｆ(u,v)に基づいて第２強度変調分布を第２空間光変調器１５に設定する。
【００４５】
制御部１０は、例えばコンピュータにより構成され、第１空間光変調器１３および第２空間光変調器１５の双方または何れか一方と電気的に接続されて通信を行う通信部を備える他、演算部、記憶部、入力部および表示部を備える。演算部は、ＣＰＵまたはＤＳＰ等を含み、２次元擬似乱数パターンａ(x,y)や相関関数ｃ(x,y)の生成、フーリエ変換、平方根計算、乗算、自己相関関数の演算、強度統計分布の算出等を行う。記憶部は、例えばハードディスクまたはメモリなどを含み、２次元擬似乱数パターンａ(x,y)や相関関数ｃ(x,y)の生成条件や各パターンの演算結果等を記憶する。入力部は、例えばキーボードまたはポインティングデバイスなどを含み、上記生成条件等の入力を受け付ける。表示部は、例えば液晶ディスプレイを含み、ａ(x,y)、Ａ(u,v)、ｃ(x,y)、Ｃ(u,v)、Ｆ(u,v)、Ｂ(u,v)およびｂ(x,y)等の各パターンを表示する。
【００４６】
本実施形態では、２つの空間光変調器（第１空間光変調器１３、第２空間光変調器１５）を用い、第１空間光変調器１３の第１強度変調分布および第２空間光変調器１５の第２強度変調分布の双方または何れか一方を設定することができるので、生成される擬似スペックルパターンｂ(x,y)の空間構造または光強度統計分布の設定の自由度が高い。生成すべき擬似スペックルパターンｂ(x,y)の光強度統計分布に応じた統計分布を有する２次元擬似乱数パターンａ(x,y)に基づいて第１強度変調分布を第１空間光変調器１３に設定することにより、所望の光強度統計分布を有する擬似スペックルパターンｂ(x,y)を生成することができる。また、生成すべき擬似スペックルパターンｂ(x,y)の自己相関関数に応じた相関関数ｃ(x,y)のフーリエ変換の平方根であるフィルタ関数Ｆ(u,v)に基づいて第２強度変調分布を第２空間光変調器１５に設定することにより、所望の空間構造を有する擬似スペックルパターンｂ(x,y)を生成することができる。
【００４７】
本実施形態の擬似スペックルパターン生成装置または擬似スペックルパターン生成方法では、生成される擬似スペックルパターンｂ(x,y)の空間構造または光強度統計分布の設定の自由度が高い。加えて、擬似スペックルパターンｂ(x,y)の空間構造または光強度統計分布を、制御部１０により、再現性よく設定することができ、迅速に設定を変更することができる。本実施形態の擬似スペックルパターン生成装置または擬似スペックルパターン生成方法は、計測対象や光操作対象に適した擬似スペックルパターンｂ(x,y)を生成することができ、様々な検証方法に有効な計測技術や光操作技術において好適に用いることができる。また、本実施形態の擬似スペックルパターン生成装置または擬似スペックルパターン生成方法は、擬似スペックルパターンを構造化照明として用いる場合に、平均輝度が高く明るい擬似スペックルパターンを生成することもできるので、照明回数を少なくして、高感度で短時間の照明が可能となる。
【００４８】
本実施形態により所望の空間構造および光強度統計分布を有する擬似スペックルパターンｂ(x,y)を生成することができることは、次のようにして確認することができる。すなわち、光パターン生成面Ｐに撮像面を有するカメラを用いて、光パターン生成面Ｐに生成された擬似スペックルパターンｂ(x,y)を撮像する。そして、制御部１０により、撮像により得られた擬似スペックルパターンｂ(x,y)の自己相関関数を求めて、これを相関関数ｃ(x,y)と比較する。また、制御部１０により、撮像により得られた擬似スペックルパターンｂ(x,y)の光強度統計分布を求めて、これを２次元擬似乱数パターンａ(x,y)の統計分布と比較する。
【００４９】
図９は、他の本実施形態の擬似スペックルパターン生成装置１Ｂの構成を示す図である。擬似スペックルパターン生成装置１Ｂは、制御部１０、光源１１、ビームエキスパンダ１２、位相変調型の空間光変調器１７、偏光板１８，１９、レンズ１４、第２空間光変調器１５およびレンズ１６を備え、光パターン生成面Ｐに擬似スペックルパターンｂ(x,y)を生成する。図８に示された擬似スペックルパターン生成装置１Ａの構成と比較すると、この図９に示される擬似スペックルパターン生成装置１Ｂは、強度変調型の第１空間光変調器１３に替えて位相変調型の空間光変調器１７および偏光板１８，１９を備える点で相違する。位相変調型の空間光変調器１７は、例えば、変調媒体が液晶である変調器が用いられる。
【００５０】
位相変調型の空間光変調器１７を挟んで偏光板１８および偏光板１９が設けられている。一般に変調媒体が液晶である空間光変調器１７は特定の配向方向の液晶分子を有する。偏光板１８，１９は、この液晶分子の配向方向に対して相対的に４５°の角度である偏光方向となるよう配置される。偏光板１８，１９それぞれの偏光方向は、互いに平行であってもよいし、互いに垂直であってもよい。このように位相変調型の空間光変調器１７および偏光板１８，１９が配置されることで、これらは実質的に強度変調型の第１空間光変調器１３Ｂとして機能する。
【００５１】
制御部１０は、第１空間光変調器１３Ｂ（これを構成する空間光変調器１７）および第２空間光変調器１５の双方または何れか一方と電気的に接続され、第１空間光変調器１３Ｂの第１強度変調分布（空間光変調器１７の位相変調分布）および第２空間光変調器１５の第２強度変調分布の双方または何れか一方を設定する。
【００５２】
第２空間光変調器１５も、同様に、位相変調型の空間光変調器を挟んで２つの偏光板を設ける構成とすることができる。
【００５３】
なお、擬似スペックルパターン生成装置１Ａ，１Ｂにおいて、擬似スペックルパターンｂ(x,y)が生成される光パターン生成面Ｐは、レンズ（第２光学系）１６の後焦点面であってもよいが、その後焦点面と異なる面とすることもできる。例えば、第２強度変調分布にフレネルレンズパターンを加えたパターンを第２空間光変調器１５に設定することにより、レンズ（第２光学系）１６の後焦点面と異なる位置にある光パターン生成面Ｐに擬似スペックルパターンｂ(x,y)を生成することができる。
【００５４】
次に、本実施形態の擬似スペックルパターン生成装置を備える観察装置の実施形態、および、本実施形態の擬似スペックルパターン生成方法を含む観察方法の実施形態について説明する。本実施形態の観察装置または観察方法は、上記の本実施形態の擬似スペックルパターン生成装置または擬似スペックルパターン生成方法により擬似スペックルパターンが生成される光パターン生成面Ｐに観察用の光を照射し、この光パターン生成面Ｐへの光の照射に応じて発生する光（透過光、反射光、散乱光、蛍光など）を受光して、擬似スペックルパターンが照射された光パターン生成面Ｐ上の微小体等を撮像する。
【００５５】
図１０は、本実施形態の観察装置２Ａの構成を示す図である。観察装置２Ａは、制御部１０、光源１１、ビームエキスパンダ１２、第１空間光変調器１３、レンズ１４、第２空間光変調器１５およびレンズ１６を備え、光パターン生成面Ｐに擬似スペックルパターンを生成する。これらは、本実施形態の擬似スペックルパターン生成装置の構成と同様である。レンズ１６として対物レンズが用いられる。
【００５６】
観察装置２Ａは、擬似スペックルパターン生成装置の構成に加えて、ダイクロイックミラー２１、観察用光源２２、カメラ２３およびレンズ２４を更に備える。ダイクロイックミラー２１は、第２空間光変調器１５とレンズ１６との間の光路上に設けられ、光源１１から出力される光を透過させ、観察用光源２２から出力される光を反射させる。
【００５７】
観察用光源２２は、光源１１から出力される光の波長と異なる波長の観察用の光を出力する。観察用光源２２は、光パターン生成面Ｐに対してレンズ１６が設けられる側と反対の側に設けられ、光パターン生成面Ｐに観察用の光を照射する。観察用光源２２による観察用の光の照射に応じて発生した光は、レンズ１６を経て、ダイクロイックミラー２１により反射され、レンズ２４を経て、カメラ２３の撮像面に到達する。レンズ１６およびレンズ２４は、光パターン生成面Ｐで発生した光をカメラ２３の撮像面に結像する。カメラ２３は、擬似スペックルパターンが照射された光パターン生成面Ｐ上の微小体等を撮像する。カメラ２３は、例えばＣＣＤカメラやＣＭＯＳカメラ等である。
【００５８】
図１１は、他の実施形態の観察装置２Ｂの構成を示す図である。観察装置２Ｂも、制御部１０、光源１１、ビームエキスパンダ１２、第１空間光変調器１３、レンズ１４、第２空間光変調器１５およびレンズ１６を備え、光パターン生成面Ｐに擬似スペックルパターンを生成する。これらは、本実施形態の擬似スペックルパターン生成装置の構成と同様である。レンズ１６として対物レンズが用いられる。
【００５９】
観察装置２Ｂは、擬似スペックルパターン生成装置の構成に加えて、ダイクロイックミラー２１、観察用光源２２、カメラ２３、レンズ２５、対物レンズ２６およびレンズ２７を更に備える。ダイクロイックミラー２１は、第２空間光変調器１５とレンズ１６との間の光路上に設けられ、光源１１から出力される光を透過させ、観察用光源２２から出力される光を反射させる。
【００６０】
観察用光源２２は、光源１１から出力される光の波長と異なる波長の観察用の光を出力する。観察用光源２２から出力された光は、レンズ２５を経て、ダイクロイックミラー２１により反射され、レンズ１６を経て、光パターン生成面Ｐに照射される。カメラ２３、対物レンズ２６およびレンズ２７は、光パターン生成面Ｐに対してレンズ１６が設けられる側と反対の側に設けられている。観察用光源２２による観察用の光の照射に応じて発生した光は、対物レンズ２６およびレンズ２７を経て、カメラ２３の撮像面に到達する。対物レンズ２６およびレンズ２７は、光パターン生成面Ｐで発生した光をカメラ２３の撮像面に結像する。カメラ２３は、擬似スペックルパターンが照射された光パターン生成面Ｐ上の微小体等を撮像する。
【００６１】
これらの観察装置２Ａ，２Ｂは、擬似スペックルパターン生成装置を光トラップ技術および構造化照明技術をはじめとする光操作技術あるいは光イメージング技術に応用する場合に、顕微イメージング装置として好適に用いられる。本実施形態の観察装置または観察方法は、擬似スペックルパターン生成装置または擬似スペックルパターン生成方法により生成される擬似スペックルパターンを微小体のトラップやソーティングなどの光操作に用いることで、様々な態様の光操作が可能となって、その光操作の様子を観察することができる。
【００６２】
なお、上記の実施形態では擬似乱数パターンおよび擬似スペックルパターンは２次元であるとしたが、本発明では擬似乱数パターンおよび擬似スペックルパターンは１次元または３次元であってもよい。
【符号の説明】
【００６３】
１Ａ，１Ｂ…擬似スペックルパターン生成装置、２Ａ，２Ｂ…観察装置、１０…制御部、１１…光源、１２…ビームエキスパンダ、１３…第１空間光変調器、１４…レンズ（第１光学系）、１５…第２空間光変調器、１６…レンズ（第２光学系）、１７…空間光変調器、１８，１９…偏光板、２１…ダイクロイックミラー、２２…観察用光源、２３…カメラ、２４…レンズ、２５…レンズ、２６…対物レンズ、２７…レンズ、Ｐ…光パターン生成面。
【図１】
2018180177.tif 000008
【図２】
2018180177.tif 000009
【図３】
2018180177.tif 000010
【図４】
2018180177.tif 000011
【図５】
2018180177.tif 000012
【図６】
2018180177.tif 000013
【図７】
2018180177.tif 000014
【図８】
2018180177.tif 000015
【図９】
2018180177.tif 000016
【図１０】
2018180177.tif 000017
【図１１】
2018180177.tif 000018